(57)【要約】【課題】無線移動通信システムにおけるアップリンクの干渉を制御するための方法及びその装置を提供する。【解決手段】無線移動通信システムにおけるアップリンクの干渉制御を制御するための方法は、多数の隣接セルに対するＲｏＴレベルを考慮し、各々の端末が前記多数の隣接セルに影響を及ぼす干渉を推定する過程と、前記推定された多数の隣接セルに影響を及ぼす干渉に基づいて前記各々の端末に対する送信電力の変化量を決定する過程と、前記端末に対する送信電力の変化量を前記各々の端末に伝送する過程を含み、隣接セルに伝送される干渉の大きさを適切な水準に維持させることでセルのカバリッジが維持され、平均のデータ伝送率が向上されるという利点がある。【選択図】図１
2011166743.tif 000002
【特許請求の範囲】
【請求項１】
無線移動通信システムにおけるアップリンクの干渉制御を制御するための方法において、
多数の隣接セルに対するＲｏＴレベルを考慮し、各々の端末が前記多数の隣接セルに影響を及ぼす干渉を推定する過程と、
前記推定された多数の隣接セルに影響を及ぼす干渉に基づいて前記各々の端末に対する送信電力の変化量を決定する過程と、
前記端末に対する送信電力の変化量を前記各々の端末に伝送する過程を含むことを特徴とする方法。
【請求項２】
前記多数の隣接セルに対するＲｏＴレベルを考慮し、前記多数の隣接セルに影響を及ぼす干渉を推定する過程は、
前記多数の隣接セルのＲｏＴを獲得した後、以前の多数の隣接セルのＲｏＴと比較し、前記多数の隣接セルのＲｏＴに対する加重値を決定する過程と、
前記各々の端末から報告されるチャンネル情報を受信し、隣接セルのリストを決定する過程と、
前記隣接セルのリストに含まれた隣接セルの経路損失情報と前記多数の隣接セルのＲｏＴに対する加重値の中から少なくとも１つ以上を利用し、前記各々の端末が隣接セルに伝達する干渉のレベルを決定する過程を含むことを特徴とする請求項１に記載の方法。
【請求項３】
前記多数の隣接セルのＲｏＴに対する加重値を決定する過程は、
現在周期の隣接セルのＲｏＴ値が第１基準値より大きく、以前周期の隣接セルのＲｏＴ値が前記第１基準値より大きければ、前記多数の隣接セルのＲｏＴに対する加重値を第１ステップほど増加させ、
前記現在周期の隣接セルのＲｏＴ値が第１基準値より小さく、前記現在周期の隣接セルのＲｏＴ値が第２基準値より小さく、前記以前周期の隣接セルのＲｏＴ値が前記第２基準値より小さければ、前記多数の隣接セルのＲｏＴに対する加重値を前記第１ステップほど減少させ、
前記現在周期の隣接セルのＲｏＴ値が第１基準値より大きく、前記以前周期の隣接セルのＲｏＴ値が前記第１基準値より小さい場合、前記現在周期の隣接セルのＲｏＴ値が前記第１基準値より小さく、前記第２基準値より大きい場合、そして前記現在周期の隣接セルのＲｏＴ値が前記第１基準値と前記第２基準値より小さく、前記以前周期の隣接セルのＲｏＴ値が前記第２基準値より大きい場合、前記多数の隣接セルのＲｏＴに対する加重値が正の数であるかを判断し、前記多数の隣接セルのＲｏＴに対する加重値を第２ステップほど減少させるか、増加させることを特徴とする請求項２に記載の方法。
【請求項４】
前記多数の隣接セルのＲｏＴに対する加重値が既設定された最大加重値より大きい場合、前記多数の隣接セルのＲｏＴに対する加重値を前記最大加重値と設定し、
前記多数の隣接セルのＲｏＴに対する加重値が既設定された最小加重値より小さい場合、前記多数の隣接セルのＲｏＴに対する加重値を前記最小加重値と設定することを特徴とする請求項３に記載の方法。
【請求項５】
前記隣接セルのリストを決定する過程は、
端末別に前記チャンネル情報を報告した回数をカウントする過程と、
前記チャンネル情報を報告した回数に基づいて整列し隣接セルのリストを設定する過程と、
前記設定された隣接セルのリストに含まれた隣接セルの個数を最大許容可能な隣接の個数を比較し、前記隣接セルのリストを更新する過程を含むことを特徴とする請求項２に記載の方法。
【請求項６】
前記設定された隣接セルのリストに含まれた隣接セルの個数を最大許容可能な隣接セルの個数を比較し、前記隣接セルのリストを更新する過程は、
前記設定された隣接セルのリストに含まれた隣接セルの個数が最大許容可能な隣接セルの個数より小さい場合、以前の隣接セルのリストに含まれた隣接セルの中から前記設定された隣接セルのリストに含まれていない隣接セルを前記設定された隣接セルのリストに含ませ、前記設定された隣接セルのリストの隣接セルの個数が前記最大許容可能な隣接セルの個数になるようにすることを特徴とする請求項５に記載の方法。
【請求項７】
前記設定された隣接セルのリストに含まれた前記以前のセルのリストの隣接セルに対する経路損失は下記の数学式によって決定されることを特徴とする請求項６に記載の方法。
【数１】
2011166743.tif 000008
ここで、ＳｅｒｖｉｎｇＣｅｌｌＰａｔｈｌｏｓｓｄＢ（ｎ）は端末ｎが報告したサービングセルの経路損失であり、ＤＬＣＩＮＲ（ｎ）は端末ｎが基地局に報告したダウンリンクのＣＩＮＲ値であり、ｔｅｍｐＧａｉｎＳｕｍはＵＥ＿ＮｅｉｇｈｂｏｒＣｅｌｌ ｌｉｓｔに存在する経路損失値の累積値であり、ＫはＵＥ＿ＮｅｉｇｈｂｏｒＣｅｌｌ ｌｉｓｔに経路損失情報がない隣接セルの個数である。
【請求項８】
前記設定された隣接セルのリストに含まれた隣接セルの個数が最大許容可能な隣接セルの個数より大きいか同じであれば、前記最大許容可能な隣接セルの個数ほど前記設定された隣接セルのリストに含まれた隣接セルの個数を調節することを特徴とする請求項５に記載の方法。
【請求項９】
前記チャンネル情報はチェンネル品質情報及びセルと端末との間におけるダウンリンクの経路損失情報の中から少なくとも１つ以上を含むことを特徴とする請求項２に記載の方法。
【請求項１０】
前記各々の端末が隣接セルに伝達する干渉のレベルは下記の数学式によって決定されることを特徴とする請求項２に記載の方法。
【数２】
2011166743.tif 000009
ここで、前記ＯＩ＿ＷｅｉｇｈｔｄＢ（ｉ）は隣接セルのＲｏＴに対する加重値であり、ＣｕｒｒｅｎｔＴｘＰｏｗｅｒｄＢｍ（ｎ）は各端末の資源別の送信電力であり、前記ＲＢＮｏは資源別の熱雑音の電力の大きさであり、前記ＩｏＴＴａｒｇｅｔｄＢはターゲットの干渉の大きさであり、前記ＣＩＮＲｄＢ（ｎ）は各端末がデータパケットを伝送した際、基地局に受信されるＣＩＮＲであり、前記ＣＩＮＲｆａｃｔｏｒはＣＩＮＲｄＢ（ｎ）をＩｏＴ＿ＭｅｔｒｉｃｄＢ（ｎ、ｉ）に適用する割合を示す定数値であり、前記ＮｅｉｇｈｂｏｒＰａｔｈｌｏｓｓｄＢ（ｎ、ｉ）は端末ｎと隣接セルｉの経路損失である。
【請求項１１】
前記推定された多数の隣接セルに影響を及ぼす干渉に基づいて前記各々の端末に対する送信電力の変化量を決定する過程は、
前記各々の端末が隣接セルに伝達する干渉のレベルを少なくとも１つ以上の臨界値と比較し、前記各々の端末が隣接セルに伝達する干渉のレベルが少なくとも１つ以上の臨界値より大きい場合端末の送信電力を既定義されたステップほど減少させ、
前記各々の端末が隣接セルに伝達する干渉のレベルが少なくとも１つ以上の臨界値より小さい場合端末の送信電力を既定義されたステップほど増加させ、
前記各々の端末が隣接セルに伝達する干渉のレベルが前記少なくとも１つ以上の臨界値より全て少ない場合、０と設定することを特徴とする請求項１に記載の方法。
【請求項１２】
前記端末に割り当てられたＭＣＳレベルが最大ＭＳＣレベルである場合、前記端末に対する送信電力をそれ以上高くせず、
前記端末に割り当てられたＭＣＳレベルが最小ＭＣＳレベルである場合、前記端末に対する送信電力をそれ以上低くしないことを特徴とする請求項１１に記載の方法。
【請求項１３】
現在の資源使用率が臨界値より小さく、前記送信電力の変化量が増減される場合、前記端末に対する送信電力の変化量を０と設定することを特徴とする請求項１１に記載の方法。
【請求項１４】
前記端末に対する送信電力の変化量を端末別に累積させる過程を更に含むことを特徴とする請求項１１に記載の方法。
【請求項１５】
無線移動通信システムにおけるアップリンクの干渉制御を制御するための基地局の装置において、
多数の隣接セルに対するＲｏＴレベルを考慮し、各々の端末が前記多数の隣接セルに影響を及ぼす干渉を推定し、
前記推定された多数の隣接セルに影響を及ぼす干渉に基づき前記各々の端末に対する送信電力の変化量を決定し、
前記端末に対する送信電力の変化量を前記各々の端末に伝送する基地局を含むことを特徴とする装置。
【請求項１６】
前記基地局は、
多数の隣接セルに対するＲｏＴレベルを考慮し、前記多数の隣接セルに影響を及ぼす干渉を推定するため、
前記多数の隣接セルのＲｏＴを獲得した後、以前の多数の隣接セルのＲｏＴと比較して、前記多数の隣接セルのＲｏＴに対する加重値を決定する第１計算部と、
前記各々の端末から報告されるチャンネル情報を受信し、隣接セルのリストを決定する隣接セルのリストの更新部と、
前記隣接セルのリストに含まれた隣接セルの経路損失情報と前記多数の隣接セルのＲｏＴに対する加重値の中から少なくとも１つ以上を利用して、前記各々の端末が隣接セルに伝達する干渉のレベルを決定する第２計算部を含むことを特徴とする請求項１５に記載の装置。
【請求項１７】
前記第１計算部は、
現在周期の隣接セルのＲｏＴ値が第１基準値より大きく、以前周期の隣接セルのＲｏＴ値が前記第１基準値より大きければ、前記多数の隣接セルのＲｏＴに対する加重値を第１ステップほど増加させ、
前記現在周期の隣接セルのＲｏＴ値が第１基準値より小さく、前記現在周期の隣接セルのＲｏＴ値が第２基準値より小さく、前記以前周期の隣接セルのＲｏＴ値が前記第２基準値より小さければ、前記多数の隣接セルのＲｏＴに対する加重値を前記第１ステップほど減少させ、
前記現在周期の隣接セルのＲｏＴ値が第１基準値より大きく、前記以前周期の隣接セルのＲｏＴ値が前記第１基準値より小さい場合、前記現在周期の隣接セルのＲｏＴ値が前記第１基準値より小さく、前記第２基準値より大きい場合、そして前記現在周期の隣接セルのＲｏＴ値が前記第１基準値と前記第２基準値より小さく、前記以前周期の隣接セルのＲｏＴ値が前記第２基準値より大きい場合、前記多数の隣接セルのＲｏＴに対する加重値が正の数であるかを判断し、前記多数の隣接セルのＲｏＴに対する加重値を第２ステップほど減少させるか、増加させることを特徴とする請求項１６に記載の装置。
【請求項１８】
前記第１計算部は、
前記多数の隣接セルのＲｏＴに対する加重値が既設定された最大加重地より大きい場合、前記多数の隣接セルのＲｏＴに対する加重値を前記最大加重値と設定し、
前記多数の隣接セルのＲｏＴに対する加重値が既設定された最小加重値より小さい場合、前記多数の隣接セルのＲｏＴに対する加重値を前記最小加重値と設定することを特徴とする請求項１７に記載の装置。
【請求項１９】
前記隣接セルのリストの更新部は、
端末別に前記チャンネル情報を報告した回数をカウントし、
前記チャンネル情報を報告した回数に基づいて整列し隣接セルのリストを設定し、
前記設定された隣接セルのリストに含まれた隣接セルの個数を最大許容可能な隣接セルの個数を比較し、前記隣接セルのリストを更新することを特徴とする請求項１６に記載の装置。
【請求項２０】
前記隣接セルのリストの更新部は、
前記設定された隣接セルのリストに含まれた隣接セルの個数が最大許容可能な隣接セルの個数より小さい場合、以前の隣接セルのリストに含まれた隣接セルの中から前記設定された隣接セルのリストに含まれていない隣接セルを前記設定された隣接セルのリストに含ませ、前記設定された隣接セルのリストの隣接セルの個数が前記最大許容可能な隣接セルの個数になるようにすることを特徴とする請求項１９に記載の装置。
【請求項２１】
前記設定された隣接セルのリストに含まれた前記以前のセルのリストの隣接セルに対する経路損失は下記の数学式によって決定されることを特徴とする請求項１９に記載の方法。
【数３】
2011166743.tif 000010
ここで、ＳｅｒｖｉｎｇＣｅｌｌＰａｔｈｌｏｓｓｄＢ（ｎ）は端末ｎが報告したサービングセルの経路損失であり、ＤＬＣＩＮＲ（ｎ）は端末ｎが基地局に報告したダウンリンクのＣＩＮＲ値であり、ｔｅｍｐＧａｉｎＳｕｍはＵＥ＿ＮｅｉｇｈｂｏｒＣｅｌｌ ｌｉｓｔに存在する経路損失値の累積値であり、ＫはＵＥ＿ＮｅｉｇｈｂｏｒＣｅｌｌ ｌｉｓｔに経路損失情報がない隣接セルの個数である。
【請求項２２】
前記設定された隣接セルのリストに含まれた隣接セルの個数が最大許容可能な隣接セルの個数より大きいか同じであれば、前記最大許容可能な隣接セルの個数ほど前記設定された隣接セルのリストに含まれた隣接セルの個数を調節することを特徴とする請求項１９に記載の装置。
【請求項２３】
前記チャンネル情報は、チャンネル品質情報及びセルと端末との間におけるダウンリンクの経路損失情報の中から少なくとも１つ以上を含むことを特徴とする請求項１６に記載の装置。
【請求項２４】
前記各々の端末が隣接セルに伝達する干渉のレベルは下記の数学式によって決定されることを特徴とする請求項１６に記載の装置。
【数４】
2011166743.tif 000011
ここで、前記ＯＩ＿ＷｅｉｇｈｔｄＢ（ｉ）は隣接セルのＲｏＴに対する加重値であり、ＣｕｒｒｅｎｔＴｘＰｏｗｅｒｄＢｍ（ｎ）は各端末の資源別の送信電力であり、前記ＲＢＮｏは資源別の熱雑音の電力の大きさであり、前記ＩｏＴＴａｒｇｅｔｄＢはターゲットの干渉の大きさであり、前記ＣＩＮＲｄＢ（ｎ）は各端末がデータパケットを伝送した際、基地局に受信されるＣＩＮＲであり、前記ＣＩＮＲｆａｃｔｏｒはＣＩＮＲｄＢ（ｎ）をＩｏＴ＿ＭｅｔｒｉｃｄＢ（ｎ、ｉ）に適用する割合を示す定数値であり、前記ＮｅｉｇｈｂｏｒＰａｔｈｌｏｓｓｄＢ（ｎ、ｉ）は端末ｎと隣接セルｉの経路損失である。
【請求項２５】
前記基地局は、
前記推定された多数の隣接セルに影響を及ぼす干渉に基づいて前記各々の端末に対する送信電力の変化量を決定するため、
前記各々の端末が隣接セルに伝達する干渉のレベルを少なくとも１つ以上の臨界値と比較し、前記各々の端末が隣接セルに伝達する干渉のレベルが少なくとも１つ以上の臨界値より大きい場合端末の送信電力を既定義されたステップほど減少させ、
前記各々の端末が隣接セルに伝達する干渉のレベルが少なくとも１つ以上の臨界値より小さい場合端末の送信電力を既定義されたステップほど増加させ、
前記各々の端末が隣接セルに伝達する干渉のレベルが前記少なくとも１つ以上の臨界値より全て少ない場合、０に設定する伝送電力の変化量の決定部を含むことを特徴にする請求項１５に記載の装置。
【請求項２６】
前記伝送電力の変化量の決定部は、
前記端末に割り当てられたＭＣＳレベルが最大ＭＣＳレベルである場合、前記端末に対する送信電力をそれ以上高くせず、
前記端末に割り当てられたＭＣＳレベルが最小ＭＣＳレベルである場合、前記端末に対する送信電力をそれ以上低くしないことを特徴とする請求項２５に記載の装置。
【請求項２７】
前記基地局は、
現在の資源使用率が臨界値より小さく、前記送信電力の変化量が増減される際、前記端末に対する送信電力の変化量を０に設定する伝送電力の制限部を含むことを特徴とする請求項２５に記載の装置。
【請求項２８】
前記基地局は、
前記端末に対する送信電力の変化量を端末別に累積させる伝送電力の命令部を更に含むことを特徴とする請求項２５に記載の装置。
【発明の詳細な説明】
【技術分野】
【０００１】
本発明は、無線移動通信システムにおけるアップリンクの干渉制御の技法に関するものであり、特に無線移動通信システムのアップリンクの干渉の制御を行う手続きにおいて、端末の送信電力を決定する方法及びその装置に関するものである。
【背景技術】
【０００２】
従来の無線移動通信システム、例えば符号分割多元接続（以下ＣＤＭＡと称する）における通信システムでは、回線伝送方式に基づいて全ての端末が常に一定のデータを伝送しており、前記システムでは各端末のデータ伝送率だけを決定していた。各端末のデータ伝送率を決定する際には、セルに受信される自己セル干渉、他セル干渉、熱雑音の総量に対する熱雑音の割合（以下ＲｏＴと称する）の大きさによって、セル内の全ての端末のデータ伝送率を一括的に上向きまたは下向きに調節する方法を使用する。つまり、各セルのＲｏＴ値が一定水準を維持するようにし、各セルのカバリッジを一定に維持し、各端末が一定水準以上のデータ伝送率を維持するのである。前記ＲｏＴは基地局で全ての端末から受信された電力に対する熱雑音の割合と定義される。
【０００３】
ＬＥＴシステムのような次世代の無線通信システムの場合、アップリンクのセル干渉の大きさを一つのセルから他のセルに知らせる機能が支援されており、各端末が通信しているサービングセルだけでなく、隣接セルから受けたダウンリンクの信号を分析し前記サービングセルと前記隣接セルのダウンリンクの経路損失を計算し基地局に伝送する。前記基地局ではこのようなダウンリンクの経路損失情報に基づき、端末のハンドオフ及び他セルの干渉制御を遂行することができる。
【０００４】
一方、従来の無線移動通信システムとは違ってＬＴＥシステムのような次世代の移動通信システムではＯＦＤＭ伝送方式を使用するため、ＣＤＭＡシステムで発生する自己セル干渉が発生せず、他セル干渉だけが存在することになる。即ち、ＣＤＭＡシステムは同一な周波数帯域からコードでチャンネルを区分するため、自己セル干渉及び他セル干渉が存在する。しかし、ＯＦＤＭシステムでは多数の副搬送波によってチャンネルが区分されるため、他セル干渉だけが存在する。従って、従来の移動通信システムでは端末のデータ伝送率を調節して自己セル干渉量を制御し、前記自己セル干渉量を制御し各セルのＲｏＴを一定に維持する方法を適用することができない。
従って、ＬＴＥシステムのような次世代の移動通信システムで各セルのＲｏＴを一定水準以下に維持するためには、従来とは違った方法が必要となる。
【先行技術文献】
【特許文献】
【０００５】
【特許文献１】韓国特許公開第１０−２００９−００６５１６７号
【発明の概要】
【発明が解決しようとする課題】
【０００６】
本発明の目的は、無線移動通信システムにおけるアップリンクの干渉を制御するための方法及びその装置を提供することにある。
【０００７】
本発明の他の目的は、ＬＴＥシステムにおいて、アップリンクの端末の送信電力を決定しアップリンクの隣接セルへの干渉の大きさを一定水準以下に維持する方法及びその装置を提供することにある。
【０００８】
本発明の更に他の目的は、ＬＴＥシステムにおいて、アップリンクの送信電力に基づいて各セルの端末が他のセルに影響を及ぼす干渉の量を一定水準以下に維持し、アップリンクの性能を向上させる方法及びその装置を提供することにある。
【課題を解決するための手段】
【０００９】
前記の目的を達成すべく、本発明の第１見地によれば、無線移動通信システムにおけるアップリンクの干渉を制御するための方法において、多数の隣接セルに対するＲｏＴのレベルを考慮し、各々の端末が前記多数の隣接セルに影響を及ぼす干渉を推定する過程と、前記推定された多数の隣接セルに影響を及ぼす干渉に基づき前記各々の端末に対する送信電力の変化量を決定する過程と、前記端末に対する送信電力の変化量を前記各々の端末に伝送する過程を含むことを特徴とする。
【００１０】
前記の目的を達成すべく、本発明の第２見地によれば、無線移動通信システムにおけるアップリンクの干渉を制御するための基地局の装置において、多数の隣接セルに対するＲｏＴのレベルを考慮し、各々の端末が前記多数の隣接セルに影響を及ぼす干渉を推定し、前記推定された多数の隣接セルに影響を及ぼす干渉に基づき前記各々の端末に対する送信電力の変化量を決定し、前記端末に対する送信電力の変化量を前記各々の端末に伝送する基地局を含むことを特徴とする。
【図面の簡単な説明】
【００１１】
【図１】本発明の実施の形態による無線移動通信システムにおけるアップリンクの干渉を制御するため、端末の送信電力の変化量を決定するフローチャートである。
【図２】本発明の実施の形態による無線移動通信システムにおいて、隣接した基地局から受信したＲｏＴ値を利用し、ＯＩ＿Ｗｅｉｇｈｔ＿ｄＢを決定するフローチャートである。
【図３】本発明の実施の形態による無線移動通信システムにおいて、端末が報告した隣接セルのダウンリンクの経路損失情報を利用し基地局周辺に位置する隣接セルを決定するフローチャートである。
【図４】本発明の実施の形態による無線移動通信システムにおいて、端末が報告した隣接セルのダウンリンクの経路損失情報に基づいて構成された隣接セルのリストを利用し、該当端末と隣接セルとの間における経路損失を計算するフローチャートである。
【図５】本発明の実施の形態による無線移動通信システムにおいて、端末のＭＣＳによって送信電力の変化量を制限するフローチャートである。
【図６】本発明の実施の形態による無線移動通信システムにおいて、端末のＩｏＴ＿ＭｅｔｒｉｃｄＢによって送信電力の変化量を決定するフローチャートである。
【図７】本発明の実施の形態による無線移動通信システムにおいて、基地局の資源使用率によって端末の送信電力の変化量を制限するフローチャートである。
【図８】本発明の実施の形態による無線移動通信システムにおいて、端末の送信電力の変化量の累積値によって端末の送信電力の変化に対する命令を決定するフローチャートである。
【図９】本発明の実施の形態による無線移動通信システムにおいて、端末の送信電力の変化量を決定し、アップリンクの干渉を制御するための基地局の装置図である。
【発明を実施するための形態】
【００１２】
以下、本発明の好ましい実施の形態を添付した図面を参照して詳細に説明する。また、本発明を説明するに当たって、関連した公知の機能又は構成についての具体的な説明が本発明の要旨を不明確にする恐れがあると判断される場合、その詳細な説明は省略する。そして、後述する用語は、本発明における機能を考慮して定義された用語であり、これは、ユーザー、操作者の意図又は慣例などによって変わり得る。従って、その定義は、本明細書全般に渡る内容に基づいて行わなければならない。
【００１３】
以下、本発明はＬＴＥシステムにおけるアップリンクの端末の送信電力を決定し、アップリンクの隣接セルへの干渉の大きさを一定水準以下に維持する方法及びその装置について説明する。以下の説明ではＬＴＥシステムを例にして説明するが、元の発明はＬＴＥシステムに限らず、ＩＥＥＥ  ８０２．１６標準のようにＯＦＤＭ／ＯＦＤＭＡに基づいたシステムにも適用することができる。
【００１４】
ＬＴＥシステムにおける一般的な端末の送信電力は下記＜数学式１＞によって決定される。
【００１５】
【数１】
2011166743.tif 000003
【００１６】
ここで、ＰＬは端末によって測定されサービング基地局に報告される前記サービング基地局と前記端末との間における経路損失であり、α（ｊ）は前記経路損失を補償するための割合であり、ＰＯ＿ＰＵＳＣＨ（ｊ）は基地局によって設定される基準の受信電力であり、ΔＴＦ（ｊ）はスケジューリングされたデータパケットのＭＣＳレベルによる補正値であり、ｆ（ｉ）は送信電力変更の累積値であり、ＭＰＵＳＣＨ（ｉ）は端末が伝送するパケットの大きさである。ｉは端末のインデックスであり、ｊは基地局のインデックスである。
【００１７】
前記基地局ではシステムの設定値としてα（ｊ）、ＰＯ＿ＰＵＳＣＨ（ｊ）、ΔＴＦ（ｊ）を端末に伝送しており、ｆ（ｉ）＝０と設定し端末の送信電力を調節しない場合には開ループ電力制御だけを遂行することになり、基地局から様々な情報を利用して端末のｆ（ｉ）を調節する場合には閉ループ電力制御を遂行することになる。前記ＬＴＥシステムでは、基地局が端末にスケジューリング情報を伝送する際、前記基地局は端末に命令し前記端末の送信電力を変化させることができ、前記端末は送信電力の変化値を累積して管理したり、累積せずに最近前記基地局から伝送された送信電力の変化値を使用することもできる。
【００１８】
本発明では、端末が基地局から伝送された送信電力の変化値ｆ（ｉ）を累積して管理する場合を仮定する。ΔＴＦ（ｊ）を常に０に設定して端末が伝送するパケットのＭＣＳレベルによって送信電力が変わらないことを仮定しており、α（ｊ）とＰＯ＿ＰＵＳＣＨ（ｊ）の設定値は本発明に影響を及ぼさない。
【００１９】
図１は、本発明の実施の形態による無線移動通信システムにおけるアップリンクの干渉を制御するため、端末の送信電力の変化量を決定するフローチャートを図示している。
【００２０】
前記図１を参照すると、基地局は１０１段階で隣接セルのＲｏＴ値を受信し、以前の隣接セルのＲｏＴ値を比較して隣接セルのＲｏＴ値を更新する（以下、ＯＩ＿Ｗｅｉｇｈｔ＿ｄＢ）。つまり、前記基地局は１０１段階で隣接セルｉに適用するＯＩ＿Ｗｅｉｇｈｔ＿ｄＢ（ｉ）という値を設定する。ｉは隣接セルを意味するインデックスであり、基地局ごとにＯＩ＿Ｗｅｉｇｈｔ＿ｄＢ（ｉ）を設定して管理する。前記ＯＩ＿Ｗｅｉｇｈｔ＿ｄＢ（ｉ）を決定する手続きを下記図２で詳細に説明する。
【００２１】
以降、前記基地局は１０３段階で端末インデックスＵＥ＿Ｉｎｄｅｘ＝０と設定する。
【００２２】
以降、前記基地局は１０５段階で各端末から報告されたダウンリンクの経路損失値を利用し、各端末の隣接セルのリスト（ＵＥ＿ＮｅｉｇｈｂｏｒＣｅｌｌ（ｎ））を更新する。つまり、前記各端末はサービング基地局だけでなく、隣接した基地局のダウンリンクの経路損失を測定して前記基地局に報告し、前記基地局では前記ダウンリンクの経路損失情報を利用し各端末ごとにＵＥ＿ＮｅｉｇｈｂｏｒＣｅｌｌ（ｎ）という隣接セルのリストを管理する。また、前記隣接セルのリストには該当端末が報告した隣接セルのダウンリンクの経路損失に対する測定情報とダウンリンクのチャンネル品質情報（ＣＱＩ; Channel Quality Indicator）を利用し、各端末がアップリンクの干渉が大きく減るだろうと予想される隣接セルのインデックスと該当セルへのアップリンクの経路損失がセーブされる。前記隣接セルのリストを更新する手続きは下記図３及び図４で詳細に説明する。
【００２３】
以降、前記基地局は１０７段階でＵＥ＿ＮｅｉｇｈｂｏｒＣｅｌｌ（ｎ）にセーブされている各端末の隣接セルのダウンリンクの経路損失情報を利用し、各端末が隣接セルに伝達する干渉の大きさを推定し、前記推定された干渉の大きさと基地局が目標とする干渉の大きさの差（以下、ＩｏＴ＿ＭｅｔｒｉｃｄＢ（ｎ）と称する）を計算する。前記ＩｏＴ＿ＭｅｔｒｉｃｄＢ（ｎ）が０ｄＢより大きい場合は該当端末が隣接セルに目標より大きい干渉の大きさを伝達すると判断し、反対にＩｏＴ＿ＭｅｔｒｉｃｄＢ（ｎ）が０ｄＢより小さい場合は該当端末が隣接セルに目標より小さい干渉の大きさを伝達すると判断する。
【００２４】
前記基地局は各端末の隣接セルのリストを設定すれば、該当端末が隣接セルに伝達する干渉の大きさを表すＩｏＴ＿ＭｅｔｒｉｃｄＢは下記＜数学式３＞のように計算する。
【００２５】
【数２】
2011166743.tif 000004
【００２６】
【数３】
2011166743.tif 000005
【００２７】
端末ｎのＩｏＴ＿ＭｅｔｒｉｃｄＢ（ｎ）を計算するためには、各端末が隣接セルｉに伝達する干渉の大きさをターゲットＩｏＴと比較した相対的な値であるＩｏＴ＿ＭｅｔｒｉｃｄＢ（ｎ、ｉ）を計算し線形和を求め、ｄＢに変換する。前記＜数学式２＞はＩｏＴ＿ＭｅｔｒｉｃｄＢ（ｎ、ｉ）を計算する方法である。
【００２８】
ここで、前記ＯＩ＿ＷｅｉｇｈｔｄＢ（ｉ）は図１の１０１段階で説明したように、隣接セルから受けた情報に基づいて基地局が管理するｄＢスケールの値である。前記ＣｕｒｒｅｎｔＴｘＰｏｗｅｒｄＢｍ（ｎ）は各端末の資源別の送信電力を意味するが、ＬＴＥシステムの場合、１つのＲＢ当たりに端末が伝送する電力を意味する。前記ＲＢＮｏは資源別熱雑音の電力の大きさを意味し、同じくＬＴＥシステムの場合１ＲＢ当たりの熱雑音の大きさを意味する。前記ＩｏＴＴａｒｇｅｔｄＢはシステムがターゲットとする干渉の大きさを意味し、一般的にＩｏＴまたはＲｏＴ値は
【００２９】
【数４】
2011166743.tif 000006
【００３０】
を意味し、干渉の大きさが大きいほどＩｏＴ値が大きくなる。システムのターゲット干渉の大きさを利用しターゲットＩｏＴを計算した後、ｄＢに変換してＩｏＴＴａｒｇｅｔｄＢを設定する。前記ＣＩＮＲｄＢ（ｎ）は、各端末がデータパケットを伝送した際、基地局に受信されるＣＩＮＲ値を意味し、端末が基地局に報告する値である。前記ＣＩＮＲｆａｃｔｏｒはＣＩＮＲｄＢ（ｎ）をＩｏＴ＿ＭｅｔｒｉｃｄＢ（ｎ、ｉ）に適用する割合を表す定数の値であり、前記ＮｅｉｇｈｂｏｒＰａｔｈｌｏｓｓｄＢ（ｎ、ｉ）は端末ｎと隣接セルｉの経路損失を意味し、前記隣接セルのリストから提供される。
【００３１】
次に、前記基地局は１１１段階で前記計算されたＩｏＴ＿ＭｅｔｒｉｃｄＢ（ｎ）を利用し、端末の送信電力の変化量（ＵＥＰｏｗｅｒＡｄｊｕｓｔ（ｎ））を決定する。前記ＵＥＰｏｗｅｒＡｄｊｕｓｔ（ｎ）を通じて、端末の送信電力が高くなったり低くなったりする。
【００３２】
次に、前記基地局は１１５段階で前記ＵＥＰｏｗｅｒＡｄｊｕｓｔ（ｎ）を累積させＵＥＰｏｗｅｒＡｄｊｕｓｔＳｕｍ（ｎ）を決定する。前記基地局がデータパケットをスケジューリングして端末の送信電力を調節するという命令を各端末に伝送する周期と、干渉制御のために端末の送信電力の変化量を計算する周期が一致しないこともある。つまり、前記基地局が端末の送信電力の変化量を計算したとしても、すぐに電力制御の命令が各端末に伝送されない可能性がある。従って、前記基地局では、端末の送信電力の変化周期になると各端末の送信電力ＵＥｐｏｗｅｒＡｄｊｕｓｔ（ｎ）を計算し、ＵＥＰｏｗｅｒＡｄｊｕｓｔＳｕｍ（ｎ）に累積させて管理する。各端末に実際に送信電力を調節せよという命令が伝送されると、ＵＥＰｏｗｅｒＡｄｊｕｓｔＳｕｍ（ｎ）から端末に命令された変化量を差し引いて管理する。
【００３３】
下記図６で端末のＩｏＴ＿ＭｅｔｒｉｃｄＢによって送信電力の変化量を決定する手続きについて説明し、下記図８で端末の送信電力の変化量の累積値によって端末の送信電力の変化命令を決定する手続きについて説明する。
【００３４】
一方、本実施形態によれば、前記基地局は１１１段階で前記計算されたＩｏＴ＿ＭｅｔｒｉｃｄＢ（ｎ）を利用して端末の送信電力の変化量を決定する前に、１０９段階で端末のＭＣＳレベルによってＵＥＰｏｗｅｒＡｄｊｕｓｔ（ｎ）を制限することができる。また、１１１段階で前記計算されたＩｏＴ＿ＭｅｔｒｉｃｄＢ（ｎ）を利用して端末の送信電力の変化量が決定された後、１１３段階で資源使用率によってＵＥＰｏｗｅｒＡｄｊｕｓｔ（ｎ）を制限することができる。つまり、前記端末の送信電力は、前記端末が最小ＭＣＳレベルを使用している場合には例外的に端末の送信電力をそれ以上低くせず、最大ＭＣＳレベルを使用している場合には例外的に端末の送信電力をそれ以上高くしない。また、端末の送信電力を高くする場合でも、基地局の資源の使用率が一定水準以下である場合、つまりデータパケットに使用できる資源ブロックを十分に使用せず残した場合には、端末の送信電力を高くしない。
【００３５】
下記図５で端末のＭＣＳレベルによってＵＥＰｏｗｅｒＡｄｊｕｓｔ（ｎ）を制限する手続きを説明し、下記図７で資源の使用率によってＵＥＰｏｗｅｒＡｄｊｕｓｔ（ｎ）を制限する手続きを説明する。
【００３６】
図２は、本発明の実施の形態による無線移動通信システムにおいて、隣接した基地局から受信したＲｏＴ値を利用しＯＩ＿Ｗｅｉｇｈｔ＿ｄＢを決定するフローチャートを図示している。前記ＯＩ＿Ｗｅｉｇｈｔ＿ｄＢ（ｉ）は各基地局で隣接セル別に管理されており、単位はｄＢである。
【００３７】
前記図２を参照すると、Ｒｅｃｅｉｖｅｄ＿ＯＩ（ｉ）は隣接セルｉで受信したＲｏＴ値を意味し、現在のＲｅｃｅｉｖｅｄ＿ＯＩは隣接セルで最も最近に受信したＲｏＴ情報を意味し、以前周期のＲｉｃｅｉｖｅｄ＿ＯＩは以前の間接制御周期の時点で利用することができた隣接セルのＲｏＴ情報を意味する。
【００３８】
前記基地局は、２０１段階で現在周期の隣接セルのＲｏＴ値が基準値のＯＩ＿Ｗｅｉｇｈｔ＿ＵＰより大きく、２０３段階で以前周期の隣接セルのＲｏＴ値が基準値ＯＩ＿Ｗｅｉｇｈｔ＿ＵＰより大きければ、２０７段階でＯＩ＿Ｗｅｉｇｈｔ＿ｄＢをＯＩ＿Ｓｔｅｐ１ほど増加させる。
【００３９】
前記基地局は、もし２０１段階で現在周期の隣接セルのＲｏＴ値が基準値のＯＩ＿Ｗｅｉｇｈｔ＿ＵＰより小さければ、２０５段階に進行し現在周期のＲｅｃｅｉｖｅｄ＿ＯＩと基準値のＯＩ＿Ｗｅｉｇｈｔ＿Ｄｏｗｎより小さく、２１１段階で以前周期のＲｅｃｅｉｖｅｄ＿ＯＩが基準値のＯＩ＿Ｗｅｉｇｈｔ＿Ｄｏｗｎより小さければ、２１３段階に進行しＯＩ＿Ｗｅｉｇｈｔ＿ｄＢ値をＯＩ＿Ｓｔｅｐ１ほど減少させる。
【００４０】
もし、２０３段階で以前周期の隣接セルのＲｏＴ値が基準値のＯＩ＿Ｗｅｉｇｈｔ＿ＵＰより小さく、２０５段階で現在周期のＲｅｃｅｉｖｅｄ＿ＯＩと基準値のＯＩ＿Ｗｅｉｇｈｔ＿Ｄｏｗｎより大きく、２１１段階で以前周期のＲｅｃｅｉｖｅｄ＿ＯＩが基準値のＯＩ＿Ｗｅｉｇｈｔ＿Ｄｏｗｎより大きければ、２０９段階に進行しＯＩ＿Ｗｅｉｇｈｔ＿ｄＢが０より大きいか同じであれば（ＯＩ＿Ｗｅｉｇｈｔ＿ｄＢが正の数である場合）、２１５段階に進行し前記ＯＩ＿Ｗｅｉｇｈｔ＿ｄＢをＯＩ＿Ｓｔｅｐ２ほど減少させ、ＯＩ＿Ｗｅｉｇｈｔ＿ｄＢが０より小さければ（ＯＩ＿Ｗｅｉｇｈｔ＿ｄＢ負の数である場合）、２１７段階に進行し前記ＯＩ＿Ｗｅｉｇｈｔ＿ｄＢをＯＩ＿Ｓｔｅｐ２ほど増加させる。
【００４１】
以降、前記基地局は２１９段階で前記ＯＩ＿Ｗｅｉｇｈｔ＿ｄＢがＯＩ＿ＷｅｉｇｈｔＭａｘｄＢ（ＯＩ＿Ｗｅｉｇｈｔ＿ｄＢの最大値）より大きいか同じであれば、２２１段階に進行し前記ＯＩ＿Ｗｅｉｇｈｔ＿ｄＢを前記ＯＩ＿ＷｅｉｇｈｔＭａｘｄＢと設定する。
【００４２】
もし、前記ＯＩ＿Ｗｅｉｇｈｔ＿ｄＢがＯＩ＿ＷｅｉｇｈｔＭａｘｄＢ（ＯＩ＿Ｗｅｉｇｈｔ＿ｄＢの最大値）より小さければ２２３段階に進行し、前記ＯＩ＿Ｗｅｉｇｈｔ＿ｄＢがＯＩ＿ＷｅｉｇｈｔＭｉｎｄＢ（ＯＩ＿Ｗｅｉｇｔｈｔ＿ｄＢの最小値）より小さいか同じであれば２２５段階に進行し、前記ＯＩ＿Ｗｅｉｇｈｔ＿ｄＢ値を前記ＯＩ＿ＷｅｉｇｈｔＭｉｎｄＢと設定する。
【００４３】
反面、前記ＯＩ＿Ｗｅｉｇｈｔ＿ｄＢが前記ＯＩ＿ＷｅｉｇｈｔＭａｘｄＢと前記ＯＩ＿ＷｅｉｇｈｔＭｉｎｄＢの間にある場合、増減されたＯＩ＿Ｗｅｉｇｈｔ＿ｄＢ値を維持する。
【００４４】
上述したように、前記図２において、２回の干渉制御周期の間、隣接セルのＲｏＴが基準値より大きいか小さい場合、ＯＩ＿Ｗｅｉｇｈｔ＿ｄＢをＯＩ＿Ｓｔｅｐ１ほど増加させるか減少させるが、この条件を満足しない場合にはＯＩ＿Ｗｅｉｇｈｔ＿ｄＢが正の数である場合、ＯＩ＿Ｓｔｅｐ２ほど減少させ、反対にＯＩ＿Ｗｅｉｇｈｔ＿ｄＢが負の数である場合、ＯＩ＿Ｓｔｅｐ２ほど増加させる。ＯＩ＿Ｗｅｉｇｈｔ＿ｄＢの最大値と最小値は各々ＯＩ＿ＷｅｉｇｈｔＭａｘｄＢ、ＯＩ＿ＷｅｉｇｈｔＭｉｎｄＢと設定する。
【００４５】
下記図３は、本発明の実施の形態による無線移動通信システムにおいて、端末が報告した隣接セルのダウンリンクの経路損失情報を利用し、基地局の周辺に位置した隣接セルを決定するフローチャートを図示している。基地局では端末が隣接セルのダウンリンクの情報を報告するまでは隣接セルの情報を知ることができず、前記基地局のセルに接続した端末が報告した隣接セルのダウンリンクの情報を利用し、前記基地局は自分の周辺にどの基地局が位置しているかを判断することができる。
【００４６】
前記図３を参照すると、基地局は３０１段階で隣接セルｉに対する前記ＮｅｉｇｈｂｏｒＣｏｕｎｔ（ｉ）値を０に設定し、３０３段階で端末インデックスｎを０に設定する。ここで、前記ＮｅｉｇｈｂｏｒＣｏｕｎｔ（ｉ）は、端末が隣接セルｉのダウンリンクの信号を受信し基地局に報告した回数をカウントするための変数である。
【００４７】
以降、前記基地局は、３０５段階でｎ番目の端末からサービングセル及び隣接セルのダウンリンクの情報に対する報告があるか確認し、３０７段階に進行し前記ｎ番目の端末のＮｅｉｇｈｂｏｒＣｏｕｎｔ（ｉ）値を１だけ増加させ、３０９段階に進行する。
【００４８】
反面、前記基地局は、３０５段階でｎ番目の端末からサービングセル及び隣接セルに対するダウンリンクの報告がない場合、３０９段階に進行しサービングセル及び隣接セルのダウンリンクの情報を報告する端末が残っているかを確認し、サービングセル及び隣接セルのダウンリンクの情報を報告する端末が残っている場合、３１１段階に進行しｎ値を１だけ増加させ、次の端末に対し３０７段階を遂行する。
【００４９】
前記基地局の隣接セルを判断する基準を設定する場合には、現在前記基地局に接続されている端末の報告に基づくか、接続されている端末だけでなく以前接続した端末の報告を含んで隣接セルを判断することもできる。
【００５０】
以降、前記基地局は３１３段階で端末が最も多く報告した隣接セルのダウンリンクの情報を順番に整列させ、前記端末の隣接セルのリストを設定する。
【００５１】
図４は、本発明の実施の形態による無線移動通信システムいにおいて、端末が報告した隣接セルのダウンリンクの経路損失情報に基づいて構成された隣接セルのリストを利用し、該当端末と隣接セルとの間における経路損失を計算するフローチャートを図示している。
【００５２】
まず、前記図３で設定されたＵＥ＿ＮｅｉｇｈｂｏｒＣｅｌｌ ｌｉｓｔは、ＮｅｉｇｈｂｏｒＭａｘ個の隣接セルに対し、隣接セルのＩＤと該当端末と該当セルとの間における経路損失情報が含まれたテーブルである。ここで、前記ＮｅｉｇｈｂｏｒＭａｘは、ＵＥ＿ＮｅｉｇｈｂｏｒＣｅｌｌ ｌｉｓｔに含まれる最大の隣接セルの個数である。
【００５３】
前記図４を参照すると、基地局は４０１段階で前記図３で設定されたＵＥ＿ＮｅｉｇｈｂｏｒＣｅｌｌ ｌｉｓｔにおいて、端末が報告したＮｅｉｇｈｂｏｒＣｅｌｌ ＰａｔｈｌｏｓｓｄＢ値を昇順または降順に整列する。
【００５４】
以降、前記基地局は４０３段階で設定されたＵＥ＿ＮｅｉｇｈｂｏｒＣｅｌｌ ｌｉｓｔの隣接セルの個数が最大隣接セルの個数より大きいか又は同じであるかを判断する。
【００５５】
もし、端末が報告した隣接セルの個数が前記ＮｅｉｇｈｂｏｒＭａｘより大きいか同じであれば、４０７段階に進行する。この際、前記基地局は該当端末が報告した隣接セルの中から経路損失が小さい順でＮｅｉｇｈｂｏｒＭａｘ個数ほど（数ほど）ＮｅｉｇｈｂｏｒＣｅｌｌ ｌｉｓｔにセーブする。
【００５６】
反面、端末が報告した隣接セルの個数が前記ＮｅｉｇｈｂｏｒＭａｘより小さければ、４０５段階に進行し、前記端末が報告した隣接セルをＵＥ＿ＮｅｉｇｈｂｏｒＣｅｌｌ ｌｉｓｔにセーブし、空いている隣接セルの情報には以前のＮｅｉｇｈｂｏｒＣｅｌｌ ｌｉｓｔにある隣接セルの中から現在のＵＥ＿ＮｅｉｇｈｂｏｒＣｅｌｌ ｌｉｓｔに含まれていない隣接セルのＩＤを選択して、ＵＥ＿ＮｅｉｇｈｂｏｒＣｅｌｌ ｌｉｓｔに追加する。
【００５７】
以降、前記基地局は４０７段階でｌｉｓｔ＿ｉｎｄｅｘ＝０、Ｋ＝０、そしてｔｅｍｐＧａｉｎＳｕｍ＝０と設定する。Ｋは経路損失情報のない隣接セルをカウントするための変数であり、ｌｉｓｔ＿ｉｎｄｅｘは前記現在のＮｅｉｇｈｂｏｒＣｅｌｌ ｌｉｓｔにある隣接セルをカウントするための変数であり、ｔｅｍｐＧａｉｎＳｕｍは隣接セルの経路損失を累積するための変数である。
【００５８】
次に、前記基地局は４０９段階でｌｉｓｔ＿ｉｎｄｅｘに該当する隣接セルの経路損失があるかを判断し、ｌｉｓｔ＿ｉｎｄｅｘに該当する隣接セルの経路損失値が存在すれば４１１段階に進行し、前記ｌｉｓｔ＿ｉｎｄｅｘに該当する隣接セルの経路損失値をｔｅｍｐＧａｉｎＳｕｍに累積させる。反面、ｌｉｓｔ＿ｉｎｄｅｘに該当する隣接セルの経路損失値が存在しない場合、４１３段階に進行しＫ値を１だけ増加させる。
【００５９】
以降、前記基地局は３０５段階に進行し、ＮｅｉｇｈｂｏｒＣｅｌｌ ｌｉｓｔに隣接セルのＩＤが存在するかを確認し、ＮｅｉｇｈｂｏｒＣｅｌｌ ｌｉｓｔに隣接セルのＩＤが残っている場合４１７段階に進行しｌｉｓｔ＿ｉｎｄｅｘを１だけ増加させる。
【００６０】
以降、前記基地局は４１９段階で経路損実情報のない隣接セルの個数Ｋ及び端末が報告したダウンリンクのチャンネル品質指示者を利用し、経路損失情報のない隣接セルに対する経路損失値を推定する。
【００６１】
つまり、現在のＵＥ＿ＮｅｉｇｈｂｏｒＣｅｌｌ ｌｉｓｔに隣接セルの情報が足りない場合、以前のＵＥ＿ＮｅｉｇｈｂｏｒＣｅｌｌ ｌｉｓｔの隣接セルの情報を含ませ、最大ＮｅｉｇｈｂｏｒＭａｘ個の隣接セルの情報を構成する。しかし、前記端末が報告しなかった隣接セルのＩＤを現在のＵＥ＿ＮｅｉｇｈｂｏｒＣｅｌｌ ｌｉｓｔに追加することから、前記基地局は前記端末が報告しなかった隣接セルのＩＤに該当する経路損失情報を知ることができない。これは端末が報告したダウンリンクのチャンネル品質情報を利用して求める。まず端末のＵＥ＿ＮｅｉｇｈｂｏｒＣｅｌｌ ｌｉｓｔにセーブされているＮｅｉｇｈｂｏｒＭａｘ個の隣接セルの情報の中、経路損実情報のある隣接セルを選択して該当する経路損実情報をｔｅｍｐＧａｉｎＳｕｍにセーブし、経路損実情報のない隣接セルの個数Ｋを利用して下記＜数学式４＞を利用し経路損失情報のない隣接セルの経路損失情報を計算する。
【００６２】
【数５】
2011166743.tif 000007
【００６３】
ここで、ＳｅｒｖｉｎｇＣｅｌｌＰａｔｈｌｏｓｓｄＢ（ｎ）は端末ｎが報告したサービングセルの経路損失であり、ＤＬＣＩＮＲ（ｎ）は端末ｎが基地局に報告したダウンリンクのＣＩＮＲ値であり、ｔｅｍｐＧａｉｎＳｕｍはＵＥ＿ＮｅｉｇｈｂｏｒＣｅｌｌ ｌｉｓｔに存在する経路損失値の累積値であり、ＫはＵＥ＿ＮｅｉｇｈｂｏｒＣｅｌｌ ｌｉｓｔに経路損失情報がない隣接セルの個数である。
【００６４】
図５は、本発明の実施の形態による無線移動通信システムいおいて、端末のＭＣＳによって送信電力の変化量を制限するフローチャートを図示している。
【００６５】
前記図５を参照すると、基地局は５０１段階で端末ｎに対しＰｒｅｖｉｏｕｓＭＣＳ（ｎ）が最大のＭＣＳレベル（ＭａｘＭＣＳ）であれば、５０３段階に進行し、端末の送信電力をそれ以上増加させる必要がないため、ＵＥＰｏｗｅｒＡｄｊｕｓｔ（ｎ）＝ＭＣＳ＿Ｓｔｅｐ１に設定しＭＣＳ＿Ｓｔｅｐ１ほど端末の送信電力を減少させる。ここでＭＣＳ＿Ｓｔｅｐ１はｄＢ単位の音の値である。前記ＰｒｅｖｉｏｕｓＭＣＳ（ｎ）は端末ｎが最も最近に割り当てされたＭＣＳレベルである。
【００６６】
反面、ＰｒｅｖｉｏｕｓＭＣＳ（ｎ）最大のＭＣＳレベルでなければ５０５段階に進行し、ＰｒｅｖｉｏｕｓＭＣＳ（ｎ）が既設定された最小のＭＣＳレベルより小さいか同じであれば、５０７段階に進行し正のｄＢ値であるＭＣＳ＿Ｓｔｅｐ２ほど端末の送信電力を上げる。
【００６７】
一方、端末のＭＣＳレベルが最大値又は最小値でなければ、５０９段階に進行しＵＥＰｏｗｅｒＡｄｊｕｓｔ（ｎ）を決定する（前記図１の１１１段階）。
【００６８】
図６は、本発明の実施の形態による無線移動通信システムにおいて、端末のＩｏＴ＿ＭｅｔｒｉｃｄＢによって送信電力の変化量を決定するフローチャートを図示している。
【００６９】
前記図６を参照すると、基地局は６０１段階でＩｏＴ＿ＭｅｔｒｉｃｄＢ（ｎ）がＩｏＴ＿Ｔｈｒｅｓｈｏｌｄ１より大きければ、６０３段階に進行しＵＥＰｏｗｅｒＡｄｊｕｓｔ（ｎ）＝ＩｏＴ＿Ｓｔｅｐ１と設定する。
【００７０】
もし、６０１段階でＩｏＴ＿ＭｅｔｒｉｃｄＢ（ｎ）がＩｏＴ＿Ｔｈｒｅｓｈｏｌｄ１より大きくなければ、６０５段階に進行し、ＩｏＴ＿ＭｅｔｒｉｃｄＢ（ｎ）がＩｏＴ＿Ｔｈｒｅｓｈｏｌｄ２より大きければ、６０７段階に進行しＵＥＰｏｗｅｒＡｄｊｕｓｔ（ｎ）＝ＩｏＴ＿Ｓｔｅｐ２と設定する。
【００７１】
もし、６０５段階でＩｏＴ＿ＭｅｔｒｉｃｄＢ（ｎ）がＩｏＴ＿Ｔｈｒｅｓｈｏｌｄ１２より大きくなければ、６０９段階に進行し、ＩｏＴ＿ＭｅｔｒｉｃｄＢ（ｎ）がＩｏＴ＿Ｔｈｒｅｓｈｏｌｄ３より大きければ、６１１段階に進行しＵＥＰｏｗｅｒＡｄｊｕｓｔ（ｎ）＝ＩｏＴ＿Ｓｔｅｐ３と設定する。
【００７２】
もし、６０９段階でＩｏＴ＿ＭｅｔｒｉｃｄＢ（ｎ）がＩｏＴ＿Ｔｈｒｅｓｈｏｌｄ３より大きくなければ、６１３段階に進行し、ＩｏＴ＿ＭｅｔｒｉｃｄＢ（ｎ）がＩｏＴ＿Ｔｈｒｅｓｈｏｌｄ４より大きければ、６１５段階に進行しＵＥＰｏｗｅｒＡｄｊｕｓｔ（ｎ）＝ＩｏＴ＿Ｓｔｅｐ４と設定する。
【００７３】
もし、６１３［６０３］段階でＩｏＴ＿ＭｅｔｒｉｃｄＢ（ｎ）がＩｏＴ＿Ｔｈｒｅｓｈｏｌｄ４より大きくなければ、６１７段階に進行しＵＥＰｏｗｅｒＡｄｊｕｓｔ（ｎ）＝０と設定する。
【００７４】
ここで、ＩｏＴ＿Ｔｈｒｅｓｈｏｌｄ１＞ＩｏＴ＿Ｔｈｒｅｓｈｏｌｄ２＞ＩｏＴ＿Ｔｈｒｅｓｈｏｌｄ３＞ＩｏＴ＿Ｔｈｒｅｓｈｏｌｄ４を満足する。
【００７５】
以降、前記基地局は６１９段階に進行し、資源の使用率によってＵＥＰｏｗｅｒＡｄｊｕｓｔ（ｎ）を制限する（前記図１の１１３段階）。
【００７６】
上述したように、各端末のＩｏＴ＿ＭｅｔｒｉｃｄＢ（ｎ）を利用し端末の送信電力の変化量ＵＥＰｏｗｅｒＡｄｊｕｓｔ（ｎ）を計算するために、ＩｏＴ＿ＭｅｔｒｉｃｄＢ（ｎ）が一定のＴｈｒｅｓｈｏｌｄより大きい場合には端末の送信電力を減少させ、反対にＩｏＴ＿ＭｅｔｒｉｃｄＢ（ｎ）が特定のＴｈｒｅｓｈｏｌｄより小さい場合には送信電力を増加させる。そして、ＩｏＴ＿ＭｅｔｒｉｃｄＢ（ｎ）が特定のＴｈｒｅｓｈｏｌｄより大きいか小さくない場合には、ＵＥＰｏｗｅｒＡｄｊｕｓｔ（ｎ）＝０と設定し、端末の送信電力を変化させない。
【００７７】
なお、前記図６で４つのＴｈｒｅｓｈｏｌｄを例に挙げて説明したが、４つ以上または４つ以下のＴｈｒｅｓｈｏｌｄを利用することもできる。
【００７８】
図７は、本発明の実施の形態による無線移動通信システムにおいて、基地局の資源使用率によって端末の送信電力の変化量を制限するフローチャートを図示している。基地局は端末に資源を割り当てるに当たって、資源の使用率が一定水準以下である場合、端末の伝送電力を上げる必要がない。
【００７９】
前記図７を参照すると、前記基地局は７０１段階でＲＢ＿ＬｏａｄがＬｏａｄ＿Ｔｈｒｅｓｈｏｌｄ以下であれば、７０３段階に進行し端末の送信電力の変化量ＵＥＰｏｗｅｒＡｄｊｕｓｔ（ｎ）が０より大きいかを確認する。
【００８０】
もし、７０３段階でＵＥＰｏｗｅｒＡｄｊｕｓｔ（ｎ）が正の数である場合、前記基地局は７０５段階に進行しＵＥＰｏｗｅｒＡｄｊｕｓｔ（ｎ）＝０と設定する。
【００８１】
反面、７０１段階でＲＢ＿ＬｏａｄがＬｏａｄ＿Ｔｈｒｅｓｈｏｌｄ以上であるか、端末の送信電力の変化量ＵＥＰｏｗｅｒＡｄｊｕｓｔ（ｎ）が負の数である場合、資源使用率（ＲＢ＿Ｌｏａｄ）に関係なくそのまま端末の送信電力の変化を適用する。
【００８２】
図８は、本発明の実施の形態による無線移動通信システムにおいて、端末の送信電力の変化量の累積値によって端末の送信電力の変化に対する命令を決定するフローチャートを図示している。
【００８３】
前記図８を参照すると、基地局は８０１段階でＵＥＡｄｊｕｓｔＳｕｍ（ｎ）＞３．０であれば、８０３段階に進行しＴＰＣ＿Ｃｏｍｍａｎｄ（ｎ）＝＋３．０と設定する。
【００８４】
もし、８０１段階でＵＥＡｄｊｕｓｔＳｕｍ（ｎ）≦３．０であれば、８０５段階に進行しＵＥＡｄｊｕｓｔＳｕｍ（ｎ）＞１．０であれば、８０７段階に進行してＴＰＣ＿Ｃｏｍｍａｎｄ（ｎ）＝＋１．０と設定する。
【００８５】
もし、８０５段階でＵＥＡｄｊｕｓｔＳｕｍ（ｎ）≦［−］１．０であれば、８０９段階に進行しＵＥＡｄｊｕｓｔＳｕｍ（ｎ）＞−１．０であれば、８１１段階に進行しＴＰＣ＿Ｃｏｍｍａｎｄ（ｎ）＝−１．０と設定する。
【００８６】
もし、８０９段階でＵＥＡｄｊｕｓｔＳｕｍ（ｎ）≧［＜］−１．０であれば、８１３段階に進行しＴＰＣ＿Ｃｏｍｍａｎｄ（ｎ）＝０．０と設定する。
【００８７】
つまり、前記基地局は、端末の送信電力の変化量を決定する周期と実際に端末に送信電力の命令を下す周期が違う場合もあり、一般的に送信電力の変化量を決定する周期の方が長い。また、送信電力の変化量が決定されたとしても、実際に端末に送信電力変化の命令が伝達されず待機することもあり得るので、前記図８のようにＵＥＡｄｊｕｓｔＳｕｍ（ｎ）の値が端末ごとに管理されていて、端末に実際に送信電力の命令が伝達された場合、ＵＥＡｄｊｕｓｔＳｕｍ（ｎ）から端末に伝達された送信電力の変化量を差し引くことで、基地局が求める端末の送信電力の大きさを維持する。
【００８８】
図９は、本発明の実施の形態による無線移動通信システムにおいて、端末の送信電力の変化量を決定し、アップリンクの干渉を制御するための基地局の装置図を図示している。
【００８９】
前記図９を参照すると、前記基地局は第１計算部９００、隣接セルのリストの更新部９０２、第２計算部９０４、ＭＣＳレベルの決定部９０５、伝送電力の変化量の決定部９０６、伝送電力の制限部９０８及び伝送電力の命令部９１０を含んで構成される。前記図９は基地局の装置図はアップリンクの干渉を制御するための機能ブロック図であり、説明の便宜のため、その他の送受信ブロックのような他の機能ブロック図は省略することにする。
【００９０】
前記第１計算部９００はバックボーンネットワークを通じて隣接セルのＲｏＴ値を受信し、以前の隣接セルのＲｏＴ値を比較して隣接セルのＲｏＴ値を更新する（以下、ＯＩ＿Ｗｅｉｇｈｔ＿ｄＢ）。つまり、前記第１計算部９００は２回の干渉制御周期の間、隣接セルのＲｏＴが基準値より大きいか小さい場合ＯＩ＿Ｗｅｉｇｈｔ＿ｄＢをＯＩ＿Ｓｔｅｐ１ほど増加させるか減少させる。そしてこの条件を満足させない場合には、ＯＩ＿Ｗｅｉｇｈｔ＿ｄＢが正の数である場合にはＯＩ＿Ｓｔｅｐ２ほど減少させ、反対にＯＩ＿Ｗｅｉｇｈｔ＿ｄＢが負の数である場合にはＯＩ＿Ｓｔｅｐ２ほど増加させる。ＯＩ＿Ｗｅｉｇｈｔ＿ｄＢの最大値と最小値は各々ＯＩ＿ＷｅｉｇｈｔＭａｘｄＢ、ＯＩ＿ＷｅｉｇｈｔＭｉｎｄＢと設定する。
【００９１】
前記隣接セルのリストの更新部９０２は、各端末から報告されたダウンリンクの経路損失値を利用して各端末の隣接セルのリストを更新する。つまり、前記各端末はサービング基地局だけでなく、隣接した基地局のダウンリンクの経路損失を測定して前記基地局に報告し、前記基地局では前記ダウンリンクの経路損失情報を利用して各端末ごとにＵＥ＿ＮｅｉｇｈｂｏｒＣｅｌｌ（ｎ）という隣接セルのリストを管理する。また、前記隣接セルのリストには、該当端末が報告した隣接セルのダウンリンクの経路損失の測定情報とダウンリンクのチャンネル品質情報を利用し、各端末がアップリンクの干渉が大きく減るだろうと予想される隣接セルのインデックスと、該当セルへのアップリンクの経路損失がセーブされる。
【００９２】
前記隣接セルのリストを更新する手続きを調べてみると、前記隣接セルのリストの更新部９０２は、前記基地局のセルに接続した端末の隣接セルのダウンリンクの情報報告回数をカウントし、前記カウントした回数に基づいて前記隣接セルのリストを構成する。また、前記隣接セルのリストの更新部９０２は、前記隣接セルのリストでＮｅｉｇｈｂｏｒＭａｘ個のセルに対する経路損失の情報を構成する。つまり、前記隣接セルのリストの更新部９０２は現在のＵＥ＿ＮｅｉｇｈｂｏｒＣｅｌｌ ｌｉｓｔに隣接セルの情報が足りない場合、以前のＵＥ＿ＮｅｉｇｈｂｏｒＣｅｌｌ ｌｉｓｔの隣接セルの情報を含ませ、最大のＮｅｉｇｈｂｏｒＭａｘ個の隣接セルの情報を構成する。しかし、前記端末が報告しなかった隣接セルのＩＤを現在のＵＥ＿ＮｅｉｇｈｂｏｒＣｅｌｌ ｌｉｓｔに追加することから、前記基地局は前記端末が報告しなかった隣接セルのＩＤに該当する経路損失情報を知ることができない。これは端末が報告したダウンリンクのチャンネル品質情報を利用して求める。まず端末のＵＥ＿ＮｅｉｇｈｂｏｒＣｅｌｌ ｌｉｓｔにセーブされているＮｅｉｇｈｂｏｒＭａｘ個の隣接セルの情報の中、経路損実情報のある隣接セルを選択して該当する経路損実情報をｔｅｍｐＧａｉｎＳｕｍにセーブし、経路損実情報のない隣接セルの個数Ｋを利用して前記＜数学式４＞を利用し経路損失情報のない隣接セルの経路損失情報を計算する。
【００９３】
前記第２計算部９０４は、前記隣接セルのリストの更新部９０２にセーブされている各端末の隣接セルのダウンリンクの経路損失情報を利用し、各端末が隣接セルに伝達する干渉の大きさを推定し、前記推定された干渉の大きさと基地局でターゲットとする干渉の大きさの差（以下、ＩｏＴ＿ＭｅｔｒｉｃｄＢ（ｎ）と称する）を計算する。前記ＩｏＴ＿ＭｅｔｒｉｃｄＢ（ｎ）が０ｄＢより大きい場合には、該当端末が隣接セルに目標より大きい干渉の大きさを伝達すると判断し、反対にＩｏＴ＿ＭｅｔｒｉｃｄＢ（ｎ）が０ｄＢより小さい場合には、該当端末が隣接セルに目標より小さい干渉の大きさを伝達すると判断する。前記ＩｏＴ＿ＭｅｔｒｉｃｄＢ（ｎ）は前記の＜数学式３＞のように計算される。
【００９４】
前記ＭＣＳレベルの決定部９０５は、現在端末に割り当てられたＭＣＳレベルによって送信電力の変化量を制限する。例えば、前記端末の送信電力は前記端末が最小ＭＣＳレベルを使用している場合には、例外的に端末の送信電力をそれ以上低くせず、最大ＭＣＳレベルを使用している場合には、例外的に端末の送信電力をそれ以上高くしない。
【００９５】
前記伝送電力の変化量の決定部９０６は、前記第２計算部９０４によって決定されたＩｏＴ＿ＭｅｔｒｉｃｄＢ（ｎ）を利用し端末の送信電力の変化量を決定する。例えば、前記伝送電力の変化量の決定部９０６は、前記ＩｏＴ＿ＭｅｔｒｉｃｄＢ（ｎ）が一定のＴｈｒｅｓｈｏｌｄより大きい場合には端末の送信電力を減少させ、反対にＩｏＴ＿ＭｅｔｒｉｃｄＢ（ｎ）が一定のＴｈｒｅｓｈｏｌｄより小さい場合には送信電力を増加させる。そして、ＩｏＴ＿ＭｅｔｒｉｃｄＢ（ｎ）が特定のＴｈｒｅｓｈｏｌｄより大きいか小さくない場合には、ＵＥＰｏｗｅｒＡｄｊｕｓｔ（ｎ）＝０と設定し端末の送信電力を変化させない。
【００９６】
前記伝送電力の制限部９０８は、端末に資源を割り当てるに当たって、資源の使用率が一定水準以下である場合、端末の伝送電力を上げる必要がないため、資源使用率によって端末の送信電力の変化量を制限する。つまり、前記伝道電力の制限部９０８は、前記伝送電力の変化量の決定部９０６によって、端末の送信電力を上げなければならない場合であっても、基地局の資源使用率が一定水準以下である場合、つまりデータパケットに使用できる資源ブロックを充分に使用せず残した場合であれば、端末の送信電力を上げない。
【００９７】
前記伝送電力の命令部９１０は、前記基地局がデータパケットをスケジューリングして端末の送信電力を調節する命令を各端末に伝送する周期と、干渉制御のため端末の送信電力の変化量を計算する周期が一致しないこともあるため、前記伝送電力の変化量の決定部９０６からのＵＥＰｏｗｅｒＡｄｊｕｓｔ（ｎ）を累積させてＵＥＰｏｗｅｒＡｄｊｕｓｔＳｕｍ（ｎ）を決定する。つまり、前記伝送電力の命令部９０１は端末の送信電力の変化周期になると、各端末の送信電力ＵＥＰｏｗｅｒＡｄｊｕｓｔ（ｎ）を計算し、ＵＥＰｏｗｅｒＡｄｊｕｓｔＳｕｍ（ｎ）に累積して管理し、各端末に実際に送信電力を調節せよという命令が伝送されれば、ＵＥＰｏｗｅｒＡｄｊｕｓｔＳｕｍ（ｎ）から端末に命令された変化量を差し引いて管理する。
【００９８】
本発明の詳細な説明では具体的な実施の形態について説明したが、本発明の範囲から逸脱しない範囲内で様々な変形が可能であることは勿論である。従って、本発明の範囲は、上述の実施の形態に限定されず、後述する特許請求の範囲だけでなく、この特許請求の範囲と均等なものによって決まらねばならない。
【００９９】
上述したように、端末が基地局に伝送したヘッドルームの情報、サービング基地局及び隣接した基地局までのダウンリンクの経路損失、ダウンリンクのチャンネル品質情報、隣接セルから受けたＲｏＴ情報を利用し端末の伝送電力を決定することで、隣接セルに伝送される干渉の大きさを適切な水準に維持させてセルのカバリッジが維持され、平均のデータ伝送率が向上されるという利点がある。
【符号の説明】
【０１００】
９００：第１計算部
９０２：隣接セルのリストの更新部
９０４：第２計算部
９０５：ＭＣＳレベル決定部
９０６：伝送電力の変化量の決定部
９０８：伝送電力の制限部
９１０：伝送電力の命令部
【図１】
2011166743.tif 000012
【図２】
2011166743.tif 000013
【図３】
2011166743.tif 000014
【図４】
2011166743.tif 000015
【図５】
2011166743.tif 000016
【図６】
2011166743.tif 000017
【図７】
2011166743.tif 000018
【図８】
2011166743.tif 000019
【図９】
2011166743.tif 000020